(57)【要約】      （修正有）【課題】高ズーム比で全ズーム範囲にわたり高い光学性能が容易に得られるズームレンズ及びそれを有する撮像装置を提供する。【解決手段】物体側より像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５を有し、ズーミングに際して隣り合うレンズ群の間隔が変化するズームレンズであって、第１レンズ群Ｌ１は、物体側から像側へ順に配置された、負レンズと、正レンズを有し、負レンズの物体側のレンズ面の曲率半径をＲ１１、正レンズの像側レンズ面の曲率半径をＲ２２、負レンズと正レンズの合成焦点距離をｆＧ１２、広角端におけるズームレンズの焦点距離をｆｗ、第１レンズ群の焦点距離をｆ１、第５レンズ群の焦点距離ｆ５を適切に設定した。【選択図】図１
2020034631.tif 000002
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、負の屈折力の第５レンズ群を有し、ズーミングに際して隣り合うレンズ群の間隔が変化するズームレンズであって、
前記第１レンズ群は、物体側から像側へ順に配置された、負レンズと、正レンズを有し、
前記負レンズの物体側のレンズ面の曲率半径をＲ１１、前記正レンズの像側レンズ面の曲率半径をＲ２２、前記負レンズと前記正レンズの合成焦点距離をｆＧ１２、広角端における前記ズームレンズの焦点距離をｆｗ、前記第１レンズ群の焦点距離をｆ１、前記第５レンズ群の焦点距離をｆ５とするとき、
−０．７＜（Ｒ１１−Ｒ２２）／（Ｒ１１＋Ｒ２２）＜０．０
１８＜ｆＧ１２／ｆｗ＜４５
−２．１＜ｆ１／ｆ５＜−１．４
なる条件式を満足する事を特徴とするズームレンズ。
【請求項２】
前記第３レンズ群より像側に配置されたレンズ群の、広角端における合成焦点距離をｆｒｅとするとき、
０．９５＜ｆｒｅ／ｆｗ＜１．４０
なる条件式を満足する事を特徴とする請求項１に記載のズームレンズ。
【請求項３】
前記第４レンズ群の焦点距離をｆ４とするとき、
０．６＜ｆ４／ｆ５＜２．０
なる条件式を満足する事を特徴とする請求項１又は２に記載のズームレンズ。
【請求項４】
広角端から望遠端へのズーミングにおける前記第１レンズ群の移動量をＭ１、広角端から望遠端へのズーミングにおける前記第２レンズ群の移動量をＭ２とするとき、
３．５＜｜Ｍ１／Ｍ２｜＜６．０
なる条件式を満足する事を特徴とする請求項１乃至３のいずれか１項に記載のズームレンズ。
【請求項５】
像ぶれ補正に際して、前記第３レンズ群の全部又は一部の部分群は光軸に対して垂直方向の成分を持つ方向に移動することを特徴とする請求項１乃至４のいずれか１項に記載のズームレンズ。
【請求項６】
前記第５レンズ群の像側に正の屈折力の第６レンズ群を有することを特徴とする請求項１乃至５のいずれか１項に記載のズームレンズ。
【請求項７】
前記第４レンズ群は、フォーカシングに際して移動することを特徴とする請求項１乃至６のいずれか１項に記載のズームレンズ。
【請求項８】
請求項１乃至７のいずれか１項に記載のズームレンズと該ズームレンズによって形成された像を受光する撮像素子を有する事を特徴とする撮像装置。
【請求項９】
広角端における有効像円径は望遠端における有効像円径よりも小さいことを特徴とする請求項８に記載の撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラなどの撮像装置の撮像光学系として好適なものである。
【背景技術】
【０００２】
近年、撮像装置に用いる撮像光学系としては、広画角、大口径比で、しかも高いズーム比（変倍比）で全ズーム範囲にわたり高い光学性能を有する小型のズームレンズであることが要求されている。
【０００３】
特に近年、撮像装置としてクイックリターンミラーがない、いわゆるミラーレスカメラが多く用いられている。このミラーレスカメラは本体が薄く、全体が小型かつ軽量であるため、ミラーレスカメラに対応した小型かつ軽量のズームレンズが求められている。このミラーレスカメラはクイックリターンミラーを配置するスペースが不要となるため、長いバックフォーカスを確保する必要がない。そのため、ズームレンズの構成等の自由度が増えるため、全系が小型化かつ軽量化を図るのが容易である。特に、広角レンズはバックフォーカスが短くなり易く、小型化を図るのが容易になる。
【０００４】
従来、バックフォーカスを短くし、全系の小型化を図りつつ、高い光学性能を得るようにしたズームレンズが提案されている（特許文献１、２）。特許文献１では、物体側から像側へ順に配置された、正、負、正、負、負の屈折力の第１レンズ群ないし第５レンズ群から成り、ズーミングに際して隣り合うレンズ群の間隔が変化するズームレンズを開示している。特許文献２では、物体側から像側へ順に、正、負、正、負、負、正の屈折力の第１レンズ群乃至第６レンズ群から成り、ズーミングに際して隣り合うレンズ群の間隔が変化するズームレンズを開示している。
【先行技術文献】
【特許文献】
【０００５】
【特許文献１】特開２０１４−２２８８０７号公報
【特許文献２】特開２０１６−１９１７５３号公報
【発明の概要】
【発明が解決しようとする課題】
【０００６】
ズームレンズにおいて、全系の小型化を図りつつ高ズーム比で全ズーム範囲にわたり高い光学性能を得るには、ズームレンズを構成する各要素を適切に設定することが重要となってくる。例えばズームタイプ（レンズ群の数や各レンズ群の屈折力）や、適切な長さのバックフォーカスを有すること等が重要になってくる。また諸収差の補正に際して、例えば歪曲収差を意図的に残存させてその他の諸収差を良好に補正する方法は全系の小型化を図るのに有効である。
【０００７】
本発明は、高ズーム比で全ズーム範囲にわたり高い光学性能が容易に得られるズームレンズ及びそれを有する撮像装置を提供することを目的とする。
【課題を解決するための手段】
【０００８】
本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群を有し、ズーミングに際して隣り合うレンズ群の間隔が変化するズームレンズであって、前記第１レンズ群は、物体側から像側へ順に配置された、負レンズと、正レンズを有し、前記負レンズの物体側のレンズ面の曲率半径をＲ１１、前記正レンズの像側レンズ面の曲率半径をＲ２２、前記負レンズと前記正レンズの合成焦点距離をｆＧ１２、広角端における前記ズームレンズの焦点距離をｆｗ、前記第１レンズ群の焦点距離をｆ１、前記第５レンズ群の焦点距離をｆ５とするとき、
−０．７＜（Ｒ１１−Ｒ２２）／（Ｒ１１＋Ｒ２２）＜０．０
１８＜ｆＧ１２／ｆｗ＜４５
−２．１＜ｆ１／ｆ５＜−１．４
なる条件式を満足する事を特徴としている。
【発明の効果】
【０００９】
本発明によれば、高ズーム比で全ズーム範囲にわたり高い光学性能が容易に得られるズームレンズが得られる。
【図面の簡単な説明】
【００１０】
【図１】実施例１のズームレンズのレンズ断面図
【図２】（Ａ）、（Ｂ）、（Ｃ）  実施例１のズームレンズの広角端、中間のズーム位置、望遠端での収差図
【図３】実施例２のズームレンズのレンズ断面図
【図４】（Ａ）、（Ｂ）、（Ｃ）  実施例２のズームレンズの広角端、中間のズーム位置、望遠端での収差図
【図５】実施例３のズームレンズのレンズ断面図
【図６】（Ａ）、（Ｂ）、（Ｃ）  実施例３のズームレンズの広角端、中間のズーム位置、望遠端での収差図
【図７】実施例４のズームレンズのレンズ断面図
【図８】（Ａ）、（Ｂ）、（Ｃ）  実施例４のズームレンズの広角端、中間のズーム位置、望遠端での収差図
【図９】実施例５のズームレンズのレンズ断面図
【図１０】（Ａ）、（Ｂ）、（Ｃ）  実施例５のズームレンズの広角端、中間のズーム位置、望遠端での収差図
【図１１】実施例６のズームレンズのレンズ断面図
【図１２】（Ａ）、（Ｂ）、（Ｃ）  実施例６のズームレンズの広角端、中間のズーム位置、望遠端での収差図
【図１３】本発明の撮像装置の要部概略図
【発明を実施するための形態】
【００１１】
以下に本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群を有する。そしてズーミングに際して隣り合うレンズ群の間隔が変化する。
【００１２】
図１は、実施例１のズームレンズの無限遠物体合焦時の広角端（短焦点距離端）におけるレンズ断面図である。図２（Ａ）、（Ｂ）、（Ｃ）は、実施例１のズームレンズの無限遠物体合焦時の広角端、中間のズーム位置、望遠端（長焦点距離端）における収差図である。実施例１は、ズーム比４．１２、Ｆナンバー４．１２程度のズームレンズである。
【００１３】
図３は、実施例２のズームレンズの無限遠物体合焦時の広角端におけるレンズ断面図である。図４（Ａ）、（Ｂ）、（Ｃ）は、実施例２のズームレンズの無限遠物体合焦時の広角端、中間のズーム位置、望遠端における収差図である。実施例２は、ズーム比４．１２、Ｆナンバー４．１２程度のズームレンズである
図５は実施例３のズームレンズの無限遠物体合焦時の広角端におけるレンズ断面図である。図６（Ａ）、（Ｂ）、（Ｃ）は、実施例３のズームレンズの無限遠物体合焦時の広角端、中間のズーム位置、望遠端における収差図である。実施例３は、ズーム比５．９０、Ｆナンバー４．１２程度のズームレンズである。
【００１４】
図７は、実施例４のズームレンズの無限遠物体合焦時の広角端におけるレンズ断面図である。図８（Ａ）、（Ｂ）、（Ｃ）は、実施例４のズームレンズの無限遠物体合焦時の広角端、中間のズーム位置、望遠端における収差図である。実施例４は、ズーム比４．１３、Ｆナンバー２．７１〜３．８６程度のズームレンズである。
【００１５】
図９は、実施例５のズームレンズの無限遠物体合焦時の広角端におけるレンズ断面図である。図１０（Ａ）、（Ｂ）、（Ｃ）は、実施例５のズームレンズの無限遠物体合焦時の広角端、中間のズーム位置、望遠端における収差図である。実施例５は、ズーム比４．１３、Ｆナンバー２．７９〜３．８６程度のズームレンズである。
【００１６】
図１１は、実施例６のズームレンズの無限遠物体合焦時の広角端におけるレンズ断面図である。図１２（Ａ）、（Ｂ）、（Ｃ）は、実施例６のズームレンズの無限遠物体合焦時の広角端、中間のズーム位置、望遠端における収差図である。実施例６は、ズーム比４．１２、Ｆナンバー２．８２〜３．８６程度のズームレンズである
図１３は本発明のズームレンズを備えるデジタルカメラ（撮像装置）の要部概略図である。
【００１７】
各実施例のズームレンズは、デジタルカメラ、ビデオカメラ、放送用カメラ、監視用カメラ、銀塩写真用カメラなどの撮像装置に用いられるズームレンズである。尚、実施例のズームレンズは投射装置（プロジェクタ）用の投射光学系として用いることもできる。
【００１８】
レンズ断面図において、左方が物体側（前方）で、右方が像側（後方）である。また、レンズ断面図において、ｉを物体側からのレンズ群の順番とすると、Ｌｉは第ｉレンズ群を示す。ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。広角端から望遠端へのズーミングに際して、矢印に示すように各レンズ群が移動する。
【００１９】
球面収差図において、ＦｎｏはＦナンバーである。ｄはｄ線（波長５８７．６ｎｍ）、ｇはｇ線（波長４３５．８ｎｍ）である。非点収差図において、ΔＭはｄ線におけるメリディオナル像面、ΔＳはｄ線におけるサジタル像面である。歪曲収差図はｄ線について示している。倍率色収差図はｇ線について示している。ωは半画角（度）である。
【００２０】
各実施例のズームレンズは、バックフォーカスが短く、広角端でのレンズ全長が短いズームレンズである。広角端でのレンズ全長を達成するためには、各レンズ群の屈折力を強めることでズーミングに際しての各レンズ群の移動量を減少させ、移動スペースの狭窄化を行う必要がある。しかし、各レンズ群の屈折力を強めると諸収差が増加してくる。これに対しては、例えば非球面レンズやレンズ枚数を増やす事などで補正を行う方法がある。各実施例のズームレンズでは電気的な収差補正を考慮し、特に歪曲収差を残存させる事でレンズ全長の短縮化と諸収差の良好な補正を達成している。
【００２１】
ポジティブリード型のズームレンズは、負の屈折力の第２レンズ群より負の歪曲収差が多く発生し、これを正の屈折力の第１レンズ群で正の歪曲収差を発生させて補正している。各実施例のズームレンズでは、第１レンズ群の最も物体側に配置した負レンズと、該負レンズの像側に配置した正レンズのレンズ形状および屈折力配置を適切に設定する事で、正の歪曲収差の発生を抑え、第２レンズ群より発生するコマ収差を補正している。
【００２２】
具体的には、第１レンズ群Ｌ１に含まれる負レンズＧ１１および正レンズＧ１２を共に物体側に凸面を向けたメニス形状とし、特に正レンズＧ１２の像側のレンズ面における正の歪曲収差の発生量を抑えている。
【００２３】
さらに、短いバックフォーカスに対応するために開口絞りＳＰより像側のレンズ系をテレフォトタイプの屈折力配置となる様、正の屈折力の第３レンズ群、負の屈折力の第４レンズ群、負の屈折力の第５レンズ群を有するレンズ構成としている。レンズ全長の短縮のために、第５レンズ群Ｌ５の負の屈折力を強め（負の屈折力の絶対値を大きくし）、テレフォトを強める事で開口絞りＳＰより像側のレンズ系の前側主点を物体側に位置する事で移動スペースの狭窄化と変倍分担を確保している。
【００２４】
一方、望遠端において球面収差の発生を抑えるために第１レンズ群Ｌ１の正の屈折力は積極的に強めない屈折力配置としている。望遠端において球面収差は大半が第１レンズ群Ｌ１より発生する。このため、他のレンズ群での補正が難しい。そのため、球面収差を軽減するために他のレンズ群に対して屈折力を強めない構成としている。このようなレンズ構成とする事で諸収差の発生を抑えつつ、短いバックフォーカスに対応した小型のズームレンズを達成している。
【００２５】
各実施例のズームレンズは、短いバックフォーカスに対応し、広角端におけるレンズ全長を短くするために次の構成をとっている
物体側より像側へ順に配置された正の屈折力の第１レンズ群Ｌ１、負の屈折力の第２レン群Ｌ２、正の屈折力の第３レンズ群Ｌ３、負の屈折力の第４レンズ群Ｌ４、負の屈折力の第５レンズ群Ｌ５を有する。第５レンズ群Ｌ５の像側に正の屈折力の第６レンズ群Ｌ６を有する場合もある。ズーミングに際して隣り合うレンズ群の間隔が変化する。
【００２６】
第１レンズ群Ｌ１は物体側から像側へ順に配置された１枚の負レンズＧ１１と、１枚の正レンズＧ１２を有している。負レンズＧ１１の物体側のレンズ面の曲率半径をＲ１１、正レンズＧ１２の像側レンズ面の曲率半径をＲ２２とする。負レンズＧ１１と正レンズＧ１２の合成焦点距離をｆＧ１２、広角端におけるズームレンズの焦点距離をｆｗ、第１レンズ群Ｌ１の焦点距離をｆ１、第５レンズ群Ｌ５の焦点距離をｆ５とする。このとき、
−０．７＜（Ｒ１１−Ｒ２２）／（Ｒ１１＋Ｒ２２）＜０．０・・・（１）
１８＜ｆＧ１２／ｆｗ＜４５                              ・・・（２）
−２．１＜ｆ１／ｆ５＜−１．４                          ・・・（３）
なる条件式を満足する。
【００２７】
次に前述の各条件式の技術的意味について説明する。
【００２８】
各実施例では条件式（１）乃至（３）の如く、第１レンズ群Ｌ１のレンズ形状および屈折力配置、そして第５レンズ群Ｌ５の屈折力を適切に設定している。
【００２９】
条件式（１）は、第１レンズ群Ｌ１の最も物体側に配置された負レンズＧ１１と負レンズＧ１１の像側の正レンズＧ１２のレンズ形状に関する。条件式（１）は主に、歪曲収差、コマ収差、軸上色収差の補正を容易に行うためのものである。条件式（１）の下限値を下回ると、正レンズＧ１２の像側のレンズ面が平面に近づくため歪曲収差の補正に対して有利だが、第２レンズ群Ｌ２より発生したコマ収差を補正するのが困難となる。
【００３０】
また、第１レンズ群Ｌ１のレンズ厚みが厚くなるため全系の小型化が困難になる。一方、条件式（１）の上限値を上回ると、正レンズＧ１２の像側のレンズ面が強い凹形状となるためコマ収差を補正する上で有利となるが、望遠端において軸上色収差の補正が困難となる。
【００３１】
条件式（２）は、第１レンズ群Ｌ１の最も物体側に配置された負レンズＧ１１と負レンズＧ１１の像側の正レンズＧ１２の合成屈折力に関する。条件式（２）は主に望遠端において球面収差を補正し、更に歪曲収差は適度に残存させるための条件式である。
【００３２】
条件式（２）の下限値を下回ると、負レンズＧ１１と正レンズＧ１２の合成屈折力が強まるために歪曲収差の補正に対して有利だが、望遠端において球面収差を補正するのが困難となる。一方、条件式（２）の上限値を上回ると、負レンズＧ１１と正レンズＧ１２の合成屈折力が弱まるため望遠端において球面収差を補正する上で有利となるが、コマ収差の補正が困難となる。
【００３３】
条件式（３）は、第１レンズ群Ｌ１の屈折力と第５レンズ群Ｌ５の屈折力に関する。条件式（３）は主にレンズ全長を短くしつつ、球面収差を良好に補正するためのものである。条件式（３）の下限値を下回ると、第１レンズ群Ｌ１の正の屈折力が弱まり、第５レンズ群Ｌ５の負の屈折力が強まるためレンズ全長の短縮に対しては有利だが、撮像素子への光束の斜入射が強まる。このため、色シェーディングが強まるため好ましくない。
【００３４】
一方、条件式（３）の上限値を上回ると、第１レンズ群Ｌ１の正の屈折力が強まり、第５レンズ群Ｌ５の負の屈折力が弱まる。そうすると、第１レンズ群Ｌ１のレンズ厚みが厚くなり、開口絞りＳＰより像側のレンズ系のテレフォト構成が弱まるため、レンズ全長の短縮が困難になる。
【００３５】
収差補正上更に好ましくは、条件式（１）乃至（３）の数値範囲を次の如く設定するのが良い。
【００３６】
−０．６５＜（Ｒ１１−Ｒ２２）／（Ｒ１１＋Ｒ２２）＜−０．０５・・・（１ａ）
１９＜ｆＧ１２／ｆｗ＜４３                                    ・・・（２ａ）
−２．０＜ｆ１／ｆ５＜−１．４                                ・・・（３ａ）
より更に好ましくは、条件式（１ａ）乃至（３ａ）の数値範囲を次の如く設定するのが良い。
【００３７】
−０．６２＜（Ｒ１１−Ｒ２２）／（Ｒ１１＋Ｒ２２）＜−０．１０・・・（１ｂ）
２０＜ｆＧ１２／ｆｗ＜４０                                    ・・・（２ｂ）
−１．９０＜ｆ１／ｆ５＜−１．４５                            ・・・（３ｂ）
各実施例において好ましくは次の条件式のうち１つ以上を満足するのが良い。
【００３８】
第３レンズ群Ｌ３より像側に配置されたレンズ群の広角端における合成焦点距離をｆｒｅとする。第４レンズ群Ｌ４の焦点距離をｆ４とする。広角端から望遠端へのズーミングにおける第１レンズ群Ｌ１の移動量をＭ１、広角端から望遠端へのズーミングにおける第２レンズ群Ｌ２の移動量をＭ２とする。ここで、移動量の符号は、広角端に比べて望遠端においてレンズ群が物体側に位置するときを負、像側に位置するときを正とする。
【００３９】
このとき、次の条件式のうち１つ以上を満足するのが良い。
【００４０】
０．９５＜ｆｒｅ／ｆｗ＜１．４０                              ・・・（４）
０．６＜ｆ４／ｆ５＜２．０                                    ・・・（５）
３．５＜｜Ｍ１／Ｍ２｜＜６．０                                ・・・（６）
次に前述の条件式の技術的意味について説明する。
【００４１】
条件式（４）は、第３レンズ群Ｌ３より像側に配置されたレンズ群の合成屈折力に関する。条件式（４）は主にレンズ全長を短縮化しつつ、広角側において球面収差、コマ収差の補正を良好に行うためのものである。条件式（４）の下限値を下回ると、テレフォト構成が強まるため、レンズ全長の短縮に対して有利であるが、広角側において球面収差と、コマ収差を補正するのが困難となる。一方、条件式（４）の上限値を上回ると、テレフォト構成が弱まるため、レンズ全長の短縮化が困難になる。
【００４２】
条件式（５）は、第４レンズ群Ｌ４の屈折力と第５レンズ群Ｌ５の屈折力に関する。条件式（５）は主にレンズ全長に関するものである。条件式（５）の下限値を下回ると、第５レンズ群Ｌ５に対して第４レンズ群Ｌ４の負の屈折力が強まるため、広角側においてコマ収差を補正するのが困難となる。一方、条件式（５）の上限値を上回ると、第４レンズ群Ｌ４に対して第５レンズ群Ｌ５の負の屈折力が強まるため、レンズ全長の短縮に対して有利だが、撮像素子への光束の斜入射が強まり、画面周辺部においてシェーディングが増加するため好ましくない。
【００４３】
条件式（６）は、ズーミングに際しての第１レンズ群Ｌ１の移動量と第２レンズ群Ｌ２の移動量に関する。条件式（６）は主にレンズ全長に関するものである。条件式（６）の下限値を下回ると、第２レンズ群Ｌ２の移動量が大きくなるため移動スペースの確保からレンズ全長の短縮に対して不利となる。一方、条件式（６）の上限値を上回ると、第１レンズ群Ｌ１の移動量が大きくなるため特に望遠端においてレンズ全長が長くなる。また、第２レンズ群Ｌ２の移動量が小さくなるため、所定のズーム比を確保するのが困難となる。
【００４４】
更に好ましくは、条件式（４）乃至（６）の数値範囲を次の如く設定するのが良い。
【００４５】
０．９８＜ｆｒｅ／ｆｗ＜１．３５                              ・・・（４ａ）
０．６５＜ｆ４／ｆ５＜１．９０                                ・・・（５ａ）
３．６＜｜Ｍ１／Ｍ２｜＜５．８０                              ・・・（６ａ）
より更に好ましくは、条件式（４ａ）乃至（６ａ）の数値範囲を次の如く設定するのが良い。
【００４６】
１．００＜ｆｒｅ／ｆｗ＜１．３０                              ・・・（４ｂ）
０．７＜ｆ４／ｆ５＜１．８                                    ・・・（５ｂ）
３．７＜｜Ｍ１／Ｍ２｜＜５．６                                ・・・（６ｂ）
各実施例において、第３レンズ群Ｌ３の全部又は一部の部分群を光軸に対して垂直方向の成分を含む方向に移動させる事によって像ぶれ補正を行っている。これにより、ズームレンズ全体が振動した際の撮影画像のブレを補正している。尚、各実施例のズームレンズは、諸収差のうち歪曲収差の補正を電気的な画像処理によって補正しても良い。特に広角側は望遠端に比べて撮像素子の有効撮像範囲（有効像円径）に対して小さい撮像範囲とし、上記歪曲収差の補正を行うと、前玉有効径の小型化に好ましい。
【００４７】
各実施例では以上のように各レンズ群を構成することによって、短いバックフォーカスに対応し、広角端においてレンズ全長が短いズームレンズを得ている。
【００４８】
次に各実施例の各レンズ群のレンズ構成について説明する。以下各レンズ群のレンズ構成は、物体側から像側へ順に配置されているものとする。
【００４９】
実施例１乃至６において、第１レンズ群Ｌ１は物体側のレンズ面が凸形状のメニスカス形状の負レンズＧ１１、像側のレンズ面が凹形状でメニスカス形状の正レンズＧ１２を接合した接合レンズを有する。更に、物体側のレンズ面が凸形状でメニスカス形状の正レンズより構成している。ズームレンズの小型化を図るために第１レンズ群Ｌ１の正の屈折力を適切な範囲で強めている。屈折力を強めた際、第１レンズ群Ｌ１内で発生する諸収差、特に望遠側において球面収差が多く発生してくる。
【００５０】
そこで第１レンズ群Ｌ１内の正の屈折力の接合レンズと１枚の正レンズで分担しこれらの諸収差の発生を低減している。また、接合レンズをメニスカス形状とすることで特にコマ収差を良好に補正している。
【００５１】
第２レンズ群Ｌ２は屈折力の絶対値が物体側に比べて像側に強く、像側のレンズ面が凹形状の負レンズ、両側のレンズ面が凹形状の負レンズ、両側のレンズ面が凸形状の正レンズ、物体側のレンズ面が凹面の負レンズの４枚のレンズで構成している。広角端において広い撮像画角を得ながらレンズ全長を短縮するために第２レンズ群Ｌ２の負の屈折力を適切な範囲で強めている（負の屈折力の絶対値を大きくしている）。屈折力を強めた際、第２レンズ群Ｌ２より諸収差が発生してくる。特に広角側において像面湾曲、倍率色収差が多く発生してくる。
【００５２】
各実施例では第２レンズ群Ｌ２の負の屈折力を３枚の負レンズで分担し、像面湾曲の発生を低減している。また、正レンズの材料に高分散のガラスを使用することによって倍率色収差の発生を軽減している。このようなレンズ構成により、広画角でレンズ全長の短縮を行っている。
【００５３】
第３レンズ群Ｌ３は物体側のレンズ面が凸形状の正レンズ、物体側のレンズ面が凸形状の負レンズと物体側のレンズ面が凸形状の正レンズとを接合した接合レンズを有する。更に、両面が凹形状の負レンズと物体側のレンズ面が凸形状の正レンズとを接合した接合レンズ、物体側が凸形状の負レンズと物体側のレンズ面が凸形状の正レンズとを接合した接合レンズ、両面が凸形状の正レンズより構成している。ズームレンズの小型化のために第３レンズ群Ｌ３の正の屈折力を適切な範囲で強めている。屈折力を強めた際、第３レンズ群Ｌ３より諸収差が発生する。特に広角端において球面収差、コマ収差、軸上色収差が多く発生してくる。
【００５４】
そこで正の屈折力を複数の正レンズで分担する事で球面収差、コマ収差の発生を低減している。また、接合レンズを複数配置する事で軸上色収差の発生を低減している。
【００５５】
第４レンズ群Ｌ４は像側のレンズ面が凹形状の１枚の負レンズより構成している。少ないレンズ枚数で第４レンズ群Ｌ４を構成する事でズームレンズの薄型化を図っている。特に像側のレンズ面が凹形状でメニスカス形状とする事で、第３レンズ群Ｌ３よりで発生した球面収差の補正を行っている。
【００５６】
第５レンズ群Ｌ５は物体側のレンズ面が凹形状の１枚の負レンズで構成している。少ないレンズ枚数で第５レンズ群Ｌ５を構成する事でズームレンズの薄型化、及び軽量化を図っている。
【００５７】
実施例１乃至３において第６レンズ群Ｌ６は像側のレンズ面が凸形状の１枚の正レンズより構成している。少ないレンズ枚数で第６レンズ群Ｌ６を構成する事でズームレンズの薄型化、及び軽量化を図っている。また、正レンズとする事で撮像素子への光束の斜入射を抑制している。
【００５８】
実施例１乃至３のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群、Ｌ６は正の屈折力の第６レンズ群である。ＳＰは開口絞りであり、第３レンズ群Ｌ３の物体側に位置しており、ズーミングに際して第３レンズ群Ｌ３と一体的に（同じ軌跡で）移動する。
【００５９】
実施例４乃至６の断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群である。ＳＰは開口絞りであり、第３レンズ群Ｌ３の物体側に位置しており、ズーミングに際して第３レンズ群Ｌ３と一体的に移動する。
【００６０】
実施例１乃至３では、広角端から望遠端へのズーミングに際して矢印のように、第１レンズ群Ｌ１は物体側に移動、第２レンズ群Ｌ２は物体側に移動、第３レンズ群Ｌ３と第５レンズ群Ｌ５は一体的に物体側へ移動、第６レンズ群Ｌ６は物体側へ移動する。また、第４レンズ群Ｌ４を物体側に移動させることで変倍と変倍に伴う像面変動を補正している。
【００６１】
また、第４レンズ群Ｌ４を光軸上移動させてフォーカシングを行うインナーフォーカス方式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ移動させることで第３レンズ群Ｌ３と第５レンズ群Ｌ５との間の空間の有効利用を図り、レンズ全長の短縮化を効果的に達成している。
【００６２】
また、望遠端において無限遠物体から近距離物体へフォーカスを行う場合には、矢印４ｃに示すように第４レンズ群Ｌ４を後方に（像側へ）繰り込むことで行っている。尚、第１レンズ群Ｌ１はフォーカスの為には光軸方向に不動であるが、収差補正上必要に応じて移動させてもよい。
【００６３】
実施例４乃至６では、広角端から望遠端へのズーミングに際して矢印のように、第１レンズ群Ｌ１は物体側に移動、第２レンズ群Ｌ２は像側に移動、第３レンズ群Ｌ３は物体側に移動、第５レンズ群Ｌ５は物体側へ移動することによって変倍を行う。また、第４レンズ群Ｌ４を物体側に移動させることで変倍と変倍に伴う像面変動を補正している。
【００６４】
また、第４レンズ群Ｌ４を光軸上移動させてフォーカシングを行うインナーフォーカス方式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ移動させることで第３レンズ群Ｌ３と第５レンズ群Ｌ５との間の空間の有効利用を図り、レンズ全長の短縮化を効果的に達成している。
【００６５】
また、望遠端において無限遠物体から近距離物体へフォーカスを行う場合には、矢印４ｃに示すように第４レンズ群Ｌ４を後方に繰り込むことで行っている。尚、第１レンズ群Ｌ１はフォーカスの為には光軸方向に不動であるが、収差補正上必要に応じて移動させてもよい。
また、撮像時には、像ぶれを補正するために第３レンズ群Ｌ３の全体または一部を光軸に対して垂直方向の成分を持つ方向に移動させてもよい。
【００６６】
次に本発明のズームレンズを撮像光学系として用いた撮像装置（デジタルカメラ）の実施例を図１３を用いて説明する。
【００６７】
図１３において、３０はカメラ本体、３１は実施例１乃至６で説明したいずれかのズームレンズによって構成された撮像光学系である。撮像光学系３１によって形成された被写体像を受光するＣＣＤセンサやＣＭＯＳセンサ等の撮像素子（光電変換素子）はカメラ本体に内蔵される。
【００６８】
以下、実施例１乃至６に対応する実施例１乃至６の具体的な数値データを示す。各実施
例において、ｉは物体側から数えた順序を示し、ｒｉは第ｉ番目の光学面（第ｉ面）の曲
率半径、ｄｉは第ｉ面と第（ｉ＋１）面との間の軸上間隔を示す。又、ｎｄｉ、νｄｉは
それぞれｄ線に対する第ｉ番目の光学部材の材料の屈折率、アッベ数である。非球面形状
は光軸方向にＸ軸、光軸と垂直方向にＨ軸、光の進行方向を正としＲを近軸曲率半径、Ｋ
を円錐定数、Ａ４、Ａ６、Ａ８、Ａ１０、Ａ１２を各々非球面係数としたとき、
【００６９】
【数１】
2020034631.tif 000003
【００７０】
なる式で表している。＊は非球面形状を有する面を意味している。「ｅ−ｘ」は１０−ｘを意味している。ＢＦはバックフォーカスであり、最終レンズ面から像面までの光軸上における空気換算距離である。レンズ全長は第１レンズ面から最終レンズ面までの距離にバックフォーカスＢＦの値を加えた値である。また、前述の各条件式と実施例との関係を表１に示す。
（数値データ１）
単位 mm
面データ
面番号       r        d      nd         vd    
1        200.406    1.80   1.92286    18.9    
2        107.859    4.32   1.72916    54.7    
3        738.367    0.15                      
4         46.610    6.39   1.69680    55.5   
5        113.807  (可変)                     
6         57.618    1.25   1.91082    35.3   
7         14.699    7.51                     
8*       -38.352    1.10   1.58313    59.4   
9*        53.237    0.15                     
10         32.726    4.31   1.80810    22.8   
11        -55.383    1.23                     
12        -25.683    1.00   1.78800    47.4    
13        -90.244  (可変)                      
14(絞り)    ∞       0.30                      
15         38.019    2.57   1.91082    35.3    
16        395.740    0.15                      
17         20.845    1.00   1.95375    32.3    
18         12.655    7.07   1.59522    67.7    
19      -1303.643    1.51                      
20       -119.562    0.80   1.74951    35.3    
21         17.957    2.51   2.00069    25.5    
22         33.039    2.62                      
23         53.374    0.75   1.80810    22.8    
24         20.510    3.37   1.49700    81.5    
25        176.935    0.15                      
26*        24.351    6.40   1.58313    59.4    
27*       -23.950  (可変)                       
28        125.094    0.75   1.71300    53.9     
29         24.401  (可変)                       
30*       -40.000    1.50   1.76802    49.2     
31*      -415.230  (可変)                       
32        -65.204    3.87   1.80000    29.8     
33        -33.206  (可変)                       
34          ∞       1.96   1.51633    64.1     
35          ∞       1.15                       
像面        ∞   
非球面データ
第8面
K = 0.00000e+000  A 4= 2.23365e-006  A 6=-5.12119e-008  A 8= 3.96126e-010  A10=-2.83871e-012  A12= 1.05361e-014  
第9面
K = 0.00000e+000  A 4=-7.17316e-006  A 6=-3.06808e-008  
第26面
K = 0.00000e+000  A 4=-3.81010e-005  A 6= 2.72159e-008  A 8=-9.95173e-010  A10= 5.22348e-012  
第27面
K = 0.00000e+000  A 4= 1.38989e-005  A 6=-3.82891e-008  A 8=-6.69176e-010  A10= 3.47800e-012  
第30面
K = 0.00000e+000  A 4=-7.35590e-005  A 6= 1.79195e-007  A 8=-7.43336e-010  A10=-2.80724e-012  A12= 2.11680e-014  
第31面
K = 0.00000e+000  A 4=-6.59773e-005  A 6= 2.66489e-007  A 8=-1.28745e-009  A10= 3.49579e-012  A12=-4.09234e-015  
各種データ
ズーム比      4.12 
焦点距離      24.70    51.82   101.85 
Fナンバー      4.12     4.12     4.12 
半画角（度）  39.00    22.66    11.99 
レンズ全長   116.03   132.71   159.70 
BF            18.14    19.57    28.64 
d 5            0.79    16.13    34.76 
d13           19.87     7.61     2.35 
d27            1.88     4.80     3.16 
d29           10.03     7.12     8.76 
d31            0.80    12.96    17.51 
d33           15.70    17.13    26.20 
レンズ群データ
群  始面    焦点距離  レンズ構成長
1    1      91.34        12.66   
2    6     -17.27        16.55   
3   14      22.50        29.19   
4   28     -42.65         0.75   
5   30     -57.73         1.50   
6   32      80.27         3.87   
（数値データ２）
単位 mm
面データ
面番号       r        d      nd         vd    
1        282.942    1.80   1.92286    18.9   
2        122.272    3.80   1.77250    49.6   
3       1043.311    0.15                     
4         46.699    6.07   1.72916    54.7   
5        112.782  (可変)                     
6         64.762    1.25   1.91082    35.3   
7         14.874    6.94                     
8*       -37.908    1.10   1.58313    59.4   
9*        68.875    0.15                     
10         32.253    4.30   1.80810    22.8   
11        -55.326    1.30                     
12        -25.894    1.00   1.77250    49.6   
13       -140.375  (可変)                     
14(絞り)    ∞       0.30                     
15         38.911    2.44   1.91082    35.3   
16        599.725    0.15                     
17         19.949    1.00   1.95375    32.3   
18         12.603    7.25   1.59522    67.7   
19        829.096    1.46                    
20       -172.490    0.80   1.74951    35.3    
21         22.785    1.99   2.00069    25.5    
22         37.844    2.22                     
23         59.507    0.75   1.80810    22.8    
24         21.280    3.10   1.49700    81.5    
25        162.146    0.15                      
26*        25.235    6.11   1.58313    59.4    
27*       -24.670  (可変)                      
28        114.899    0.75   1.72916    54.7    
29         25.123  (可変)                      
30*       -41.673    1.50   1.76802    49.2    
31*      -563.906  (可変)                      
32        -64.864    3.28   1.85478    24.8     
33        -36.119  (可変)                       
34          ∞       1.96   1.51633    64.1     
35          ∞       1.15                       
像面        ∞   
非球面データ
第8面
K = 0.00000e+000  A 4=-3.55491e-007  A 6=-6.06846e-008  A 8= 5.02140e-010  A10=-3.82806e-012  A12= 1.40523e-014  
第9面
K = 0.00000e+000  A 4=-7.60478e-006  A 6=-2.80609e-008  
第26面
K = 0.00000e+000  A 4=-4.39409e-005  A 6= 7.46889e-010  A 8=-1.12373e-009  A10= 3.03138e-012  
第27面
K = 0.00000e+000  A 4= 8.44733e-006  A 6=-5.34894e-008  A 8=-8.64666e-010  A10= 1.99671e-012  
第30面
K = 0.00000e+000  A 4=-7.02676e-005  A 6= 2.10378e-007  A 8=-9.23709e-010  A10=-2.49684e-012  A12= 2.10341e-014  
第31面
K = 0.00000e+000  A 4=-6.22743e-005  A 6= 2.64528e-007  A 8=-1.29130e-009  A10= 2.81811e-012  A12=-1.58603e-015  
各種データ
ズーム比      4.12 
焦点距離      24.70    52.54   101.85  
Fナンバー      4.12     4.12     4.12  
半画角（度）  39.00    22.38    11.99  
レンズ全長   111.64   128.44   155.64  
BF            18.14    18.07    25.69  
d 5            0.78    16.42    35.29  
d13           19.03     6.99     2.35  
d27            1.39     5.00     3.42  
d29           10.28     6.67     8.25  
d31            0.90    14.17    19.52  
d33           15.70    15.63    23.25  
レンズ群データ
群  始面    焦点距離  レンズ構成長  
1    1      92.93        11.82    
2    6     -17.00        16.05     
3   14      21.72        27.72     
4   28     -44.25         0.75     
5   30     -58.66         1.50     
6   32      90.59         3.28     
（数値データ３）
単位 mm
面データ
面番号       r        d      nd         vd      
1        171.005    1.80   1.92286    18.9     
2         75.897    6.34   1.74400    44.8     
3        664.525    0.15                       
4         52.161    6.57   1.80400    46.6     
5        154.419  (可変)                       
6        105.852    1.25   1.88202    37.2     
7         15.501    6.71                       
8*       -39.207    1.10   1.58313    59.4     
9*        59.690    0.15                       
10         32.255    4.32   1.80810    22.8     
11        -58.794    1.16                       
12        -26.201    1.00   1.74100    52.6     
13       -135.886  (可変)                       
14(絞り)    ∞       0.30                       
15         35.345    2.75   1.90043    37.4     
16        273.720    0.15                       
17         19.106    1.00   2.00100    29.1     
18         12.683    8.43   1.61340    44.3     
19       -550.230    1.60                       
20        -88.961    0.80   1.89286    20.4     
21         41.411    1.31   2.00100    29.1     
22         55.559    1.49                       
23         40.186    0.75   1.90366    31.3     
24         17.075    3.33   1.49700    81.5     
25         61.739    0.15                       
26*        24.359    7.36   1.58144    40.8     
27*       -23.155  (可変)                       
28         60.047    0.75   1.69680    55.5     
29         22.277  (可変)                       
30*       -32.097    1.50   1.76802    49.2     
31*      -380.217  (可変)                       
32        -73.762    3.69   1.83400    37.3     
33        -36.656  (可変)                       
34          ∞       1.96   1.51633    64.1     
35          ∞       1.21                       
像面        ∞   
非球面データ
第8面
K = 0.00000e+000  A 4=-2.73812e-006  A 6=-6.12157e-008  A 8= 8.22810e-010  A10=-5.72116e-012  A12= 1.72599e-014  
第9面
K = 0.00000e+000  A 4=-9.16320e-006  A 6=-2.57975e-009  
第26面
K = 0.00000e+000  A 4=-4.48725e-005  A 6= 2.81856e-008  A 8=-1.24281e-009  A10= 7.22288e-012  
第27面
K = 0.00000e+000  A 4= 1.32059e-005  A 6=-7.54062e-008  A 8=-5.87330e-010  A10= 3.81788e-012  
第30面
K = 0.00000e+000  A 4=-6.15819e-005  A 6= 1.18489e-007  A 8=-1.53768e-009  A10=-7.79071e-013  A12= 5.39633e-014  
第31面
K = 0.00000e+000  A 4=-5.26113e-005  A 6= 1.74171e-007  A 8=-1.02966e-009  A10= 3.05866e-012  A12= 4.23830e-016  
各種データ
ズーム比      5.90 
焦点距離      24.70    58.34   145.80   
Fナンバー      4.12     4.12     4.12  
半画角（度）  38.43    20.35     8.44  
レンズ全長   116.35   134.13   162.90   
BF            18.26    15.54    24.00   
d 5            0.75    19.04    38.10   
d13           21.46     8.77     2.35   
d27            2.71     7.51     2.26   
d29            6.48     1.68     6.93   
d31            0.80    15.70    23.38   
d33           15.76    13.04    21.50   
レンズ群データ
群  始面    焦点距離  レンズ構成長  
1    1      81.21        14.86     
2    6     -16.48        15.68     
3   14      22.89        29.41     
4   28     -51.24         0.75     
5   30     -45.73         1.50     
6   32      83.59         3.69     
（数値データ４）
単位 mm
面データ
面番号       r        d      nd         vd     
1        101.354    1.64   2.00272    19.3    
2         68.275    5.98   1.71300    53.9    
3        155.528    0.14                      
4         71.692    5.08   1.76385    48.5    
5        275.459  (可変)                      
6*       105.269    1.20   1.85135    40.1    
7*        19.100   11.50                      
8        -41.322    0.80   1.53775    74.7    
9         27.195    0.00                      
10         27.195    7.08   1.71736    29.5    
11        -56.509    1.42                      
12        -29.202    0.80   1.85150    40.8    
13        -54.877  (可変)                      
14(絞り)    ∞       1.50                      
15         34.314    3.10   1.91082    35.3    
16        143.672    0.20                      
17         25.355    0.50   1.80400    46.6    
18         14.433    7.47   1.48749    70.2    
19        184.273    0.40                      
20         91.124    4.40   1.48749    70.2    
21        -37.450    0.90   1.95375    32.3    
22        102.538    3.34                      
23         39.447    0.75   1.91082    35.3    
24         20.124    7.30   1.48749    70.2    
25       -726.881    0.15                      
26*        41.600    6.73   1.62263    58.2    
27*       -33.103  (可変)                      
28*        97.538    0.80   1.55332    71.7    
29*        31.225  (可変)                      
30        -15.595    2.00   1.55032    75.5    
31        -29.306  (可変)                      
像面        ∞   
非球面データ
第6面
K = 0.00000e+000  A 4= 2.33703e-007  A 6= 2.90879e-009  A 8=-4.95426e-014  A10= 1.66153e-016  
第7面
K = 0.00000e+000  A 4=-4.35749e-006  A 6=-1.52891e-010  A 8=-4.69332e-011  A10= 1.21619e-013  
第26面
K = 0.00000e+000  A 4=-1.21315e-005  A 6=-1.41862e-008  A 8= 4.93932e-011  
第27面
K = 0.00000e+000  A 4=-3.14509e-006  A 6=-2.08236e-008  A 8=-1.68028e-011  
第28面
K = 0.00000e+000  A 4= 1.38675e-005  A 6=-2.05480e-008  A 8=-6.79953e-011  A10= 5.93249e-013  
第29面
K = 0.00000e+000  A 4= 1.29962e-005  A 6=-3.81660e-008  A 8=-2.97721e-011  A10= 1.85030e-013  
各種データ
ズーム比      4.13 
焦点距離      24.70    35.31   101.90    
Fナンバー      2.71     3.10     3.86    
半画角（度）  41.21    31.50    11.99    
レンズ全長   143.80   141.94   175.01   
BF            18.13    24.90    36.76   
d 5            0.80     4.16    39.91   
d13           31.84    19.07     2.00   
d27            2.00     3.99     6.10   
d29           15.86    14.63    15.06   
d31           18.13    24.90    36.76   
レンズ群データ
群  始面    焦点距離  レンズ構成長  
1    1     111.35        12.84     
2    6     -21.44        22.80     
3   14      29.21        36.74    
4   28     -83.36         0.80    
5   30     -63.88         2.00    
（数値データ５）
単位 mm
面データ
面番号       r        d      nd         vd      
1         92.762    1.64   1.95906    17.5    
2         61.569    5.82   1.76385    48.5   
3        135.412    0.14                      
4         72.246    4.90   1.83481    42.7    
5        258.205  (可変)                      
6*       111.431    1.20   1.88100    40.1    
7*        18.592    9.30                     
8        -47.937    0.80   1.81600    46.6   
9         85.535    0.50                      
10         47.474    5.29   1.80810    22.8     
11        -51.843    2.35                      
12        -25.548    0.80   1.79952    42.2    
13        -48.962  (可変)                      
14(絞り)    ∞       1.50                     
15         31.475    3.53   1.80440    39.6   
16        504.046    0.20                     
17         26.759    0.50   1.78800    47.4    
18         13.931    6.98   1.49700    81.5    
19      -1102.218    3.12                      
20        -39.696    0.90   1.91082    35.3    
21         50.219    3.34   1.57135    53.0    
22        -66.418    3.34                       
23         48.333    0.75   1.85150    40.8    
24         21.048    5.72   1.48749    70.2    
25       -116.926    0.15                      
26*        38.013    6.99   1.59201    67.0    
27*       -34.525  (可変)                      
28*        85.175    0.80   1.55332    71.7    
29*        28.045  (可変)                      
30        -16.261    2.00   1.49700    81.5    
31        -34.955  (可変)                      
像面        ∞   
非球面データ
第6面
K = 0.00000e+000  A 4= 1.67426e-006  A 6= 1.70403e-009  A 8=-2.56140e-012  A10= 7.81694e-015  
第7面
K = 0.00000e+000  A 4=-2.24348e-006  A 6=-1.38260e-009  A 8=-1.27388e-011  A10=-6.21132e-016  
第26面
K = 0.00000e+000  A 4=-9.13889e-006  A 6=-4.64376e-009  A 8= 1.15769e-011  
第27面
K = 0.00000e+000  A 4=-2.12156e-007  A 6=-1.55569e-008  A 8=-1.92252e-011  
第28面
K = 0.00000e+000  A 4= 1.02215e-005  A 6= 9.59391e-010  A 8= 2.71344e-012  A10= 5.14591e-013  
第29面
K = 0.00000e+000  A 4= 8.59555e-006  A 6=-8.24223e-010  A 8=-6.40099e-011  A10= 9.84484e-013  
各種データ
ズーム比      4.13 
焦点距離      24.70    35.36   101.90   
Fナンバー      2.79     3.17     3.86   
半画角（度）  41.21    31.46    11.99   
レンズ全長   138.29   137.00   169.01 
BF            18.00    24.80    35.89    
d 5            0.80     3.97    37.83    
d13           28.79    16.80     2.00    
d27            2.00     4.34     5.92     
d29           16.14    14.52    14.81    
d31           18.00    24.80    35.89    
レンズ群データ
群  始面    焦点距離  レンズ構成長 
1    1     101.02        12.50      
2    6     -19.70        20.24      
3   14      28.77        37.02     
4   28     -75.95         0.80     
5   30     -63.43         2.00   
（数値データ６）
単位 mm
面データ
面番号       r        d      nd         vd    
1        103.413    1.64   1.94595    18.0   
2         64.583    5.95   1.76385    48.5   
3        152.972    0.14                     
4         68.126    5.44   1.83481    42.7   
5        236.495  (可変)                     
6*        94.050    1.20   1.88202    37.2   
7*        17.762    9.36                     
8        -44.424    0.80   1.80400    46.6   
9         97.463    0.50                     
10         47.778    5.05   1.80810    22.8   
11        -50.202    1.83                     
12        -26.008    0.80   1.80400    46.6   
13        -52.864  (可変)                     
14(絞り)    ∞       1.50                     
15         31.896    3.32   1.80100    35.0   
16        365.419    0.20                     
17         25.847    0.50   1.83481    42.7   
18         14.092    6.66   1.48749    70.2   
19        749.816    3.48                     
20        -38.788    0.90   1.80610    33.3   
21         61.767    3.03   1.59522    67.7   
22        -69.080    3.34                     
23         46.029    0.75   1.90043    37.4   
24         21.296    5.56   1.48749    70.2   
25       -126.507    0.15                     
26*        41.976    6.76   1.58913    61.3   
27*       -34.754  (可変)                     
28*        76.133    0.80   1.55332    71.7   
29*        28.214  (可変)                     
30        -16.615    2.00   1.53775    74.7   
31        -32.074  (可変)                     
像面        ∞   
非球面データ
第6面
K = 0.00000e+000  A 4= 8.23327e-007  A 6= 3.92424e-009  A 8=-7.77899e-012  A10= 1.39588e-014  
第7面
K = 0.00000e+000  A 4=-3.55270e-006  A 6=-1.67152e-009  A 8=-1.45222e-011  A10=-6.44886e-014  
第26面
K = 0.00000e+000  A 4=-1.15716e-005  A 6=-4.89142e-009  A 8= 1.73711e-011  
第27面
K = 0.00000e+000  A 4=-4.41670e-006  A 6=-7.88522e-009  A 8=-5.00687e-011  
第28面
K = 0.00000e+000  A 4= 8.58376e-006  A 6= 1.82375e-009  A 8=-1.60442e-010  A10= 8.81178e-013  
第29面
K = 0.00000e+000  A 4= 8.35773e-006  A 6=-2.12098e-008  A 8=-1.48875e-010  A10= 9.39288e-013  
各種データ
ズーム比      4.12 
焦点距離      24.70    34.98   101.90   
Fナンバー      2.82     3.18     3.86   
半画角（度）  41.21    31.74    11.99  
レンズ全長   137.00   136.30   168.00   
BF            18.22    24.71    35.47   
d 5            0.80     4.16    37.69   
d13           27.82    16.57     2.00     
d27            2.00     4.40     5.76    
d29           16.50    14.79    15.42   
d31           18.22    24.71    35.47   
レンズ群データ
群  始面    焦点距離  レンズ構成長  
1    1      98.91        13.18     
2    6     -19.37        19.53     
3   14      28.53        36.16     
4   28     -81.50         0.80     
5   30     -67.14         2.00    
【００７１】
【表１】
2020034631.tif 000004
【符号の説明】
【００７２】
Ｌ１：第１レンズ群    Ｌ２：第２レンズ群    Ｌ３：第３レンズ群
Ｌ４：第４レンズ群    Ｌ５：第５レンズ群    Ｌ６：第６レンズ群
【図１】
2020034631.tif 000005
【図２】
2020034631.tif 000006
【図３】
2020034631.tif 000007
【図４】
2020034631.tif 000008
【図５】
2020034631.tif 000009
【図６】
2020034631.tif 000010
【図７】
2020034631.tif 000011
【図８】
2020034631.tif 000012
【図９】
2020034631.tif 000013
【図１０】
2020034631.tif 000014
【図１１】
2020034631.tif 000015
【図１２】
2020034631.tif 000016
【図１３】
2020034631.tif 000017